(57)【要約】      （修正有）【課題】ネットワーク上の機器を自動検出し、自動検出した機器の中から管理対象とする機器をユーザが選択できると共に不正な機器の接続の防止が可能なネットワーク管理装置を実現する。【解決手段】ネットワーク２に接続される機器３,４を自動的に検出する機能を有するネットワーク管理装置１０において、ネットワーク２に接続する通信部と、ネットワーク構成図が格納された記憶部と、ネットワーク構成図に登録されている機器と自動検出機能により検出された機器３,４を比較すると共に差分がある場合にその旨を通知する演算制御部とを備える。【選択図】図１
2011090678.tif 000002
【特許請求の範囲】
【請求項１】
ネットワークに接続される機器を自動的に検出する機能を有するネットワーク管理装置において、
前記ネットワークに接続する通信部と、
ネットワーク構成図が格納された記憶部と、
前記ネットワーク構成図に登録されている機器と前記自動検出機能により検出された機器を比較すると共に差分がある場合にその旨を通知する演算制御部と
を備えたことを特徴とするネットワーク管理装置。
【請求項２】
前記演算制御部が、
前記通知を電子メールで送信することにより行うことを特徴とする
請求項１記載のネットワーク管理装置。
【請求項３】
ネットワークに接続される機器を自動的に検出する機能を有するネットワーク管理装置において、
前記ネットワークに接続する通信部と、
ネットワーク構成図が格納された記憶部と、
警報器と、
前記ネットワーク構成図に登録されている機器と前記自動検出機能により検出された機器を比較すると共に差分がある場合に前記警報器を鳴らして通知する演算制御部と
を備えたことを特徴とするネットワーク管理装置。
【請求項４】
ネットワークに接続される機器を自動的に検出する機能を有するネットワーク管理装置において、
前記ネットワークに接続する通信部と、
ネットワーク構成図が格納された記憶部と、
警報器と、
前記ネットワーク構成図に登録されている機器と前記自動検出機能により検出された機器を比較すると共に差分がある場合に前記警報器を点灯若しくは点滅して通知する演算制御部と
を備えたことを特徴とするネットワーク管理装置。
【請求項５】
ネットワークに接続される機器を自動的に検出する機能を有するネットワーク管理装置において、
前記ネットワークに接続する通信部と、
ネットワーク構成図が格納された記憶部と、
表示部と、
前記ネットワーク構成図に登録されている機器と前記自動検出機能により検出された機器を比較すると共に差分がある場合に前記表示部にメッセージを表示して通知する演算制御部と
を備えたことを特徴とするネットワーク管理装置。
【発明の詳細な説明】
【技術分野】
【０００１】
本発明は、ネットワーク管理装置に関し、特にネットワーク上の機器を自動検出し、自動検出した機器の中から管理対象とする機器をユーザが選択できると共に不正な機器の接続の防止が可能なネットワーク管理装置に関する。
【背景技術】
【０００２】
従来のネットワーク管理装置に関連する先行技術文献としては次のようなものがある。
【０００３】
図７はこのような従来のネットワーク管理装置の一例を示す構成ブロック図である。図７において１はネットワークを管理するネットワーク管理装置、２はインターネット等のネットワーク、３及び４は管理対象である機器である。ネットワーク管理装置１、機器３及び機器４はネットワーク２にそれぞれ相互に接続される。
【０００４】
ここで、図７に示す従来例の動作を図８及び図９を用いて説明する。図８はネットワーク管理装置１の構成ブロック図、図９はネットワーク管理装置１の動作を示すフロー図である。
【０００５】
図８において５はＣＰＵ（Central Processing Unit）等の演算制御部、６は機器３及び機器４とネットワーク２に接続し、データの送受信を行う通信部、７はＲＯＭ（Read Only Memory）、ＲＡＭ（Random Access Memory)、フラッシュメモリ（電気的に書き換え可能なＲＯＭ）、若しくは、ハードディスク等の記憶部、８はＣＲＴ（Cathode Ray Tube）等の表示部、９はキーボード等の入力部である。
【０００６】
演算制御部５、通信部６、記憶部７、表示部８及び入力部９はネットワーク管理装置１を構成している。演算制御部５は通信部６、記憶部７、表示部８及び入力部９にそれぞれ接続される。
【０００７】
ネットワーク管理装置１はネットワーク２に接続される機器を自動的に検出する機能（以下、自動検出機能と呼ぶ。）を有しており、この自動検出機能のアプリケーションソフトは記憶部７に予めインストールされている。
【０００８】
ネットワーク管理装置１はネットワーク２に接続される機器を管理するため、予め記憶部７にネットワーク構成図のデータが格納されている。ネットワーク構成図はネットワークに接続される機器の名前（ホスト名）、ＩＰ（Internet Protocol）アドレス、機器の重要度等を示した図である。
【０００９】
図９中”Ｓ００１”においてネットワーク管理装置１の演算制御部５は、自動検出機能のアプリケーションソフトを記憶部７より読み出して実行することにより、通信部２を制御してネットワーク２上で機器を検出したか否かを判断し、もし、機器を検出した場合には、図９中”Ｓ００２”においてネットワーク管理装置１の演算制御部５は、ネットワーク構成図に検出した機器を登録する。
【００１０】
具体的には、図７に示すようにネットワーク２上に機器３及び機器４が接続された場合にはネットワーク管理装置１は自動検出機能により機器３及び機器４を検出し、ネットワーク構成図に機器３及び機器４を登録する。そして、ネットワーク管理装置１は登録が完了した機器３及び機器４の状態監視を開始する。
【００１１】
この結果、ネットワーク管理装置１が自動検出機能によりネットワーク２上で機器を検出した場合に、ネットワーク構成図に検出した機器を登録することにより、ネットワーク構成図への登録が自動的に行われるので、ネットワーク２に接続された機器を漏れなく状態監視することが可能になる。
【先行技術文献】
【特許文献】
【００１２】
【特許文献１】特開平１１−３１６７２４号公報
【特許文献２】特開２００２−１０１１２５号公報
【特許文献３】特開２００２−３６６４５４号公報
【特許文献４】特開２００３−００８５７５号公報
【発明の概要】
【発明が解決しようとする課題】
【００１３】
しかし、図７に示す従来例では、ネットワーク管理装置１がネットワーク２上で機器を検出した場合に、自動的にネットワーク構成図に登録するため、ユーザが認識しない間に機器が登録されてしまうので、管理しているネットワークの構成をユーザ自身が把握することが困難になるという問題点があった。
【００１４】
また、ネットワーク管理装置１がネットワーク２上で検出した機器が管理する必要の無い機器の場合でも、自動的にネットワーク構成図に登録されてしまうため、不必要な状態監視が行われるという問題点があった。
【００１５】
また、ネットワーク管理装置１がネットワーク２上で検出した機器がネットワーク２への接続が許可されていない機器の場合でも、自動的にネットワーク構成図に登録されてしまうため、不正な機器が接続されてもユーザが認識できないという問題点があった。
【００１６】
従って本発明が解決しようとする課題は、ネットワーク上の機器を自動検出し、自動検出した機器の中から管理対象とする機器をユーザが選択できると共に不正な機器の接続の防止が可能なネットワーク管理装置を実現することにある。
【課題を解決するための手段】
【００１７】
このような課題を達成するために、本発明のうち請求項１記載の発明は、
ネットワークに接続される機器を自動的に検出する機能を有するネットワーク管理装置において、
前記ネットワークに接続する通信部と、ネットワーク構成図が格納された記憶部と、前記ネットワーク構成図に登録されている機器と前記自動検出機能により検出された機器を比較すると共に差分がある場合にその旨を通知する演算制御部とを備えたことにより、ユーザがネットワークに接続される機器を把握できるので、不正な機器の接続の防止が可能になる。
【００１８】
請求項２記載の発明は、
請求項１記載のネットワーク管理装置において、
前記演算制御部が、
前記通知を電子メールで送信することにより行うことにより、ユーザがネットワークに接続される機器を把握できるので、不正な機器の接続の防止が可能になる。
【００１９】
請求項３記載の発明は、
ネットワークに接続される機器を自動的に検出する機能を有するネットワーク管理装置において、
前記ネットワークに接続する通信部と、ネットワーク構成図が格納された記憶部と、警報器と、前記ネットワーク構成図に登録されている機器と前記自動検出機能により検出された機器を比較すると共に差分がある場合に前記警報器を鳴らして通知する演算制御部とを備えたことにより、ユーザがネットワークに接続される機器を把握できるので、不正な機器の接続の防止が可能になる。
【００２０】
請求項４記載の発明は、
ネットワークに接続される機器を自動的に検出する機能を有するネットワーク管理装置において、
前記ネットワークに接続する通信部と、ネットワーク構成図が格納された記憶部と、警報器と、前記ネットワーク構成図に登録されている機器と前記自動検出機能により検出された機器を比較すると共に差分がある場合に前記警報器を点灯若しくは点滅して通知する演算制御部とを備えたことにより、ユーザがネットワークに接続される機器を把握できるので、不正な機器の接続の防止が可能になる。
【００２１】
請求項５記載の発明は、
ネットワークに接続される機器を自動的に検出する機能を有するネットワーク管理装置において、
前記ネットワークに接続する通信部と、ネットワーク構成図が格納された記憶部と、表示部と、前記ネットワーク構成図に登録されている機器と前記自動検出機能により検出された機器を比較すると共に差分がある場合に前記表示部にメッセージを表示して通知する演算制御部とを備えたことにより、ユーザがネットワークに接続される機器を把握できるので、不正な機器の接続の防止が可能になる。
【発明の効果】
【００２２】
本発明によれば次のような効果がある。
ネットワーク管理装置の演算制御部がネットワーク上で機器を検出し、ネットワーク構成図に登録されている機器とネットワークに接続されている機器を比較し、差分がある場合にユーザに知らせることにより、ユーザがネットワークに接続される機器を把握できるので、不正な機器の接続の防止が可能になる。
【図面の簡単な説明】
【００２３】
【図１】本発明に係るネットワーク管理装置の一実施例を示す構成ブロック図である。
【図２】ネットワーク管理装置の構成ブロック図である。
【図３】ネットワーク管理装置の動作を示すフロー図である。
【図４】ネットワーク管理装置の他の動作を示すフロー図である。
【図５】ネットワーク管理装置の他の動作を示すフロー図である。
【図６】本発明に係るネットワーク管理装置の他の実施例を示す構成ブロック図である。
【図７】従来のネットワーク管理装置の一例を示す構成ブロック図である。
【図８】ネットワーク管理装置の構成ブロック図である。
【図９】ネットワーク管理装置の動作を示すフロー図である。
【発明を実施するための形態】
【００２４】
以下本発明を図面を用いて詳細に説明する。図１は本発明に係るネットワーク管理装置の一実施例を示す構成ブロック図である。
【００２５】
図１において２，３及び４は図７と同一符号を付してあり、１０はネットワークを管理するネットワーク管理装置である。ネットワーク管理装置１０、機器３及び機器４はネットワーク２にそれぞれ相互に接続される。
【００２６】
ここで、図１に示す実施例の動作を図２及び図３を用いて説明する。図２はネットワーク管理装置１０の構成ブロック図、図３はネットワーク管理装置１０の動作を示すフロー図である。図３に示す実施例の動作は図７の従来例とほぼ同一であり、異なる点は検出した機器をネットワーク構成図に登録する時にユーザに登録の確認をすることである。
【００２７】
図２において１１はＣＰＵ等の演算制御部、１２は機器３及び機器４とネットワーク２を経由してデータの送受信を行う通信部、１３はＲＯＭ、ＲＡＭ、フラッシュメモリ、若しくは、ハードディスク等の記憶部、１４はＣＲＴ等の表示部、１５はキーボード等の入力部である。
【００２８】
演算制御部１１、通信部１２、記憶部１３、表示部１４及び入力部１５はネットワーク管理装置１０を構成している。演算制御部１１は通信部１２、記憶部１３、表示部１４及び入力部１５にそれぞれ接続される。
【００２９】
ネットワーク管理装置１０は自動検出機能を有しており、この自動検出機能のアプリケーションソフトは記憶部１３に予めインストールされている。ネットワーク管理装置１０はネットワーク２に接続される機器を管理するため、予め記憶部１３にネットワーク構成図のデータが格納されている。
【００３０】
図３中”Ｓ１０１”においてネットワーク管理装置１０の演算制御部１１は、自動検出機能のアプリケーションソフトを記憶部１３より読み出して実行することにより、通信部１２を制御してネットワーク２上で機器を検出したか否かを判断し、もし、機器を検出した場合には、図３中”Ｓ１０２”に進む。
【００３１】
一方、図３中”Ｓ１０１”においてネットワーク管理装置１０の演算制御部１１は、自動検出機能のアプリケーションソフトを記憶部１３より読み出して実行することにより、通信部１２を制御してネットワーク２上で機器を検出したか否かを判断し、もし、機器を検出しない場合には、図３中”Ｓ１０１”で待機する。
【００３２】
図３中”Ｓ１０２”においてネットワーク管理装置１０の演算制御部１１は、検出した機器の登録、若しくは、不登録を選択する旨を表示部１４に表示してユーザに確認する。ユーザは入力部１５から登録、若しくは、不登録の指示を入力する。
【００３３】
図３中”Ｓ１０３”においてネットワーク管理装置１０の演算制御部１１は、ユーザから登録の指示があったか否かを判断し、もし、登録の指示があった場合には、図３中”Ｓ１０４”に進む。
【００３４】
一方、図３中”Ｓ１０３”においてネットワーク管理装置１０の演算制御部１１は、ユーザから登録の指示があったか否かを判断し、もし、登録の指示がなかった場合には、ネットワーク構成図に検出した機器を登録しない。
【００３５】
最後に、図３中”Ｓ１０４”においてネットワーク管理装置１０の演算制御部１１は、ネットワーク構成図に検出した機器を登録する。その後、登録した機器に対する状態監視が開始される。
【００３６】
この結果、ネットワーク管理装置１０の演算制御部１１がネットワーク２上で機器を検出し、ユーザにこの機器をネットワーク構成図に登録するか否かの確認をし、ユーザからの登録の指示に基づいてこの機器をネットワーク構成図に登録することにより、ユーザが登録の可否を判断できるので、自動検出した機器の中から管理対象とする機器をユーザが選択できると共に不正な機器の接続の防止が可能になる。
【００３７】
図４はネットワーク管理装置１０の他の動作を示すフロー図である。図４に示す実施例の動作は図３の実施例とほぼ同一であり、異なる点はユーザにネットワーク構成図への登録確認をする前にネットワーク構成図に登録されている機器とネットワーク２に接続されている機器との差分を表示することである。
【００３８】
図４中”Ｓ２０１”においてネットワーク管理装置１０の演算制御部１１は、自動検出機能のアプリケーションソフトを記憶部１３より読み出して実行することにより、通信部１２を制御してネットワーク２上で機器を検出したか否かを判断し、もし、機器を検出した場合には、図４中”Ｓ２０２”に進む。
【００３９】
一方、図４中”Ｓ２０１”においてネットワーク管理装置１０の演算制御部１１は、自動検出機能のアプリケーションソフトを記憶部１３より読み出して実行することにより、通信部１２を制御してネットワーク２上で機器を検出したか否かを判断し、もし、機器を検出しない場合には、図４中”Ｓ２０１”で待機する。
【００４０】
図４中”Ｓ２０２”においてネットワーク管理装置１０の演算制御部１１は、ネットワーク構成図に登録されている機器とネットワーク２に接続されている機器との差分を表示部１４に表示する。
【００４１】
そして、図４中”Ｓ２０３”においてネットワーク管理装置１０の演算制御部１１は、差分表示した機器の登録、若しくは、不登録を選択する旨を表示部１４に表示してユーザに確認する。ユーザは入力部１５から登録、若しくは、不登録の指示を入力する。
【００４２】
図４中”Ｓ２０４”においてネットワーク管理装置１０の演算制御部１１は、ユーザから登録の指示があったか否かを判断し、もし、登録の指示があった場合には、図４中”Ｓ２０５”においてネットワーク管理装置１０の演算制御部１１は、ネットワーク構成図に差分表示した機器を登録する。その後、登録した機器に対する状態監視が開始される。
【００４３】
一方、図４中”Ｓ２０４”においてネットワーク管理装置１０の演算制御部１１は、ユーザから登録の指示があったか否かを判断し、もし、登録の指示がなかった場合には、ネットワーク構成図に差分表示した機器を登録しない。
【００４４】
この結果、ネットワーク管理装置１０の演算制御部１１がネットワーク２上で機器を検出し、ネットワーク構成図に登録されている機器とネットワーク２に接続されている機器との差分を表示し、ユーザに差分表示した機器をネットワーク構成図に登録するか否かの確認をし、ユーザからの登録の指示に基づいてこの機器をネットワーク構成図に登録することにより、ユーザが登録の可否を判断できるので、自動検出した機器の中から管理対象とする機器をユーザが選択できると共に不正な機器の接続の防止が可能になる。
【００４５】
図５はネットワーク管理装置１０の他の動作を示すフロー図である。図５中”Ｓ３０１”においてネットワーク管理装置１０の演算制御部１１は、自動検出機能のアプリケーションソフトを記憶部１３より読み出して実行することにより、通信部１２を制御してネットワーク２上で機器を検出したか否かを判断し、もし、機器を検出した場合には、図５中”Ｓ３０２”に進む。
【００４６】
一方、図５中”Ｓ３０１”においてネットワーク管理装置１０の演算制御部１１は、自動検出機能のアプリケーションソフトを記憶部１３より読み出して実行することにより、通信部１２を制御してネットワーク２上で機器を検出したか否かを判断し、もし、機器を検出しない場合には、図５中”Ｓ３０１”で待機する。
【００４７】
図５中”Ｓ３０２”においてネットワーク管理装置１０の演算制御部１１は、ネットワーク構成図に登録されている機器とネットワーク２に接続されている機器を比較し、差分があるか否かを判断し、もし、差分がある場合には、図５中”Ｓ３０３”においてネットワーク管理装置１０の演算制御部１１は、ユーザに差分があることを知らせる。
【００４８】
ネットワーク管理装置１０がユーザに通知する手段としては電子メール及び警報装置等がある。具体的には、差分がある場合にネットワーク管理装置１０がその旨を電子メールで送信する、警報装置を鳴らす、警報装置を点灯、若しくは、点滅させる、又は、表示部１４にメッセージを表示することにより、ユーザに知らせる。
【００４９】
この結果、ネットワーク管理装置１０の演算制御部１１がネットワーク２上で機器を検出し、ネットワーク構成図に登録されている機器とネットワーク２に接続されている機器を比較し、差分がある場合にユーザに知らせることにより、ユーザがネットワーク２に接続される機器を把握できるので、不正な機器の接続の防止が可能になる。
【００５０】
図６は本発明に係るネットワーク管理装置の他の実施例を示す構成ブロック図である。図６において２は図７と同一符号を付してあり、１６はネットワークを管理するネットワーク管理装置、１７及び１８はネットワーク管理装置１６へアクセスする時に用いる端末である。
【００５１】
ネットワーク２、ネットワーク管理装置１６、端末１７及び端末１８は電子会議システム１００を構成している。ネットワーク管理装置１６、端末１７及び端末１８はネットワーク２にそれぞれ相互に接続される。
【００５２】
また、ネットワーク管理装置１６は図２と同様に演算制御部１１、通信部１２、記憶部１３、表示部１４及び入力部１５から構成されている。ネットワーク管理装置１６は会議に出席する出席者を管理するため、予め記憶部１３に出席者リストのデータが格納されている。
【００５３】
ここで、図６に示す実施例の動作を説明する。ネットワーク管理装置１６の演算制御部１１は端末１７、若しくは、端末１８からの会議出席希望の要求を受け付け、出席希望者のデータを表示部１４に表示する。
【００５４】
会議の座長であるユーザは表示されたデータを基に会議への出席者を選択し、選択した出席者を出席者リストに登録するようにネットワーク管理装置１６へ指示を出す。
【００５５】
この結果、ネットワーク管理装置１６の演算制御部１１がネットワーク２を介して会議出席者からの出席希望要求を受け付け、会議の座長であるユーザに出席者リストに登録するかの確認をし、ユーザからの登録の指示に基づいて出席者を出席者リストに登録することにより、ユーザが出席希望者の状況に合わせて出席可否の判断ができるので、出席希望者の中から重要な人を優先的に出席させることが可能になる。
【００５６】
なお、図１に示す実施例においてネットワーク２に接続される機器が機器３及び機器４の２台となっているが、必ずしも２台である必要は無く、１台以上あればよい。
【００５７】
同様に、図６に示す実施例においてネットワーク２に接続される端末が端末１７及び端末１８の２台となっているが、必ずしも２台である必要は無く、１台以上あればよい。
【符号の説明】
【００５８】
１，１０，１６  ネットワーク管理装置
２  ネットワーク
３，４  機器
５，１１  演算制御部
６，１２  通信部
７，１３  記憶部
８，１４  表示部
９，１５  入力部
１７，１８  端末
１００  電子会議システム
【図１】
2011090678.tif 000003
【図２】
2011090678.tif 000004
【図３】
2011090678.tif 000005
【図４】
2011090678.tif 000006
【図５】
2011090678.tif 000007
【図６】
2011090678.tif 000008
【図７】
2011090678.tif 000009
【図８】
2011090678.tif 000010
【図９】
2011090678.tif 000011